(57)【特許請求の範囲】
【請求項１】
被操作物に係止される帯板状の回動板部と、径方向で対向する少なくとも一対の挿通孔を備え、該回動板部の一側面の略中央部位に接合された筒状の操作軸部とからなる略Ｔ字形の工具本体と、
一端から前記挿通孔に挿通されるものであって、かつ他端部に該挿通孔に挿入不能な非挿通部を備えてなる長尺状のハンドル杆と
を備えた回転作業用工具を、保管可能とする工具保管装置であって、
壁面に取り付けられる背板部と、
前記工具本体の操作軸部を挿通可能な間隙をおいて該背板部の下縁から二股状に設けられ、該工具本体の回動板部の両側部を夫々支持する左右一対の吊下片部と
を備え、
さらに、少なくとも一方の吊下片部に、前記ハンドル杆を一端から挿通可能とし且つ非挿通部を挿通不能とする杆保持孔が、上下方向に開口形成されてなるものであることを特徴とする工具保管装置。
【請求項２】
左右一対の吊下片部は、
背板部の下端縁から前方に連成された底片部と、該底片部の前端縁から斜め上方に連成された傾斜片部とにより夫々構成され、少なくとも一方の底片部に杆保持孔が形成されてなり、
前記傾斜片部の内側面と前記背板部の表面とにより、工具本体の回動板部の両側部位を夫々支持すると共に、該支持した回動板部と前記底片部との間に、該底片部の杆保持孔の孔縁部で支持されたハンドル杆の非挿通部を収容する収容空隙が形成されることを特徴とする請求項１に記載の工具保管装置。
【請求項３】
請求項１に記載の工具保管装置で保管される回転作業用工具であって、
工具本体の回動板部は、操作軸部の接合部位よりも一側方に、ハンドル杆の非挿通部を挿通可能な貫通孔が形成されてなり、
前記工具保管装置の吊下片部で支持される場合に、一方の吊下片部で支持されたハンドル杆の非挿通部を、前記貫通孔に挿通させることを特徴とする回転作業用工具。
【発明の詳細な説明】
【技術分野】
【０００１】
本発明は、マンホール蓋などの開閉作業に用いられる回転作業用工具を保管可能とする工具保管装置、および該工具保管装置に保管される該回転作業用工具に関する。
【背景技術】
【０００２】
水槽や油槽等の点検口、共同溝、電気配線ボックス点検口等の防水性が要求されるマンホールの開口部を遮蔽する密閉型のマンホール蓋が知られている。こうした密閉型のマンホール蓋をマンホールの開口部に固定する固定装置として、例えば特許文献１の構成が提案されている。かかる固定装置は、図１２，１３に示すように、マンホール１０１の開口縁に円環状の蓋受枠１０２が配設され、該蓋受枠１０２内に支持アーム１０４を着脱可能に横架させる。この蓋受枠１０２の上部に形成された受縁１１１に、外周部の下面に止水パッキン１１２を備えたマンホール蓋１０５が乗載され、前記支持アーム１０４の中央部位に立設された螺子杆１１３を、該マンホール蓋１０５の中央部位に形成された操作用凹陥部１１５の挿通孔１１６に下方から挿通させる。そして、操作用凹陥部１１５内で螺子杆１１３に緊締ナット１１４を螺着し、該緊締ナット１１４の緊締作用によってマンホール蓋１０５を止水パッキン１１２を介して蓋受枠１０２の受縁１１１に密閉状に圧着させて固定させる。さらに、操作用凹陥部１１５内で、緊締ナット１１４の上部に突出する螺子杆１１３に南京錠１０８を施錠することにより、緊締ナット１１４の弛緩回動操作を不能として、いたずら等によるマンホール蓋１０５の無用開放を防止している。さらに、操作用凹陥部１１５の上方開口部は、螺子杆１１３の上端部に螺着される小蓋１２１によって遮蔽される。この小蓋１２１は、その外周部の下面に止水パッキン１２２が配設されており、該止水パッキン１２２を、螺子杆１１３に対する小蓋１２１の螺合操作を介して操作用凹陥部１１５の蓋受縁１１９に圧着させることにより、マンホール蓋１０５に固定される。
【０００３】
こうした密閉型のマンホール蓋１０５を開閉するためには、小蓋１２１を開閉する作業が必須である。ここで、小蓋１２１は、上述したように、螺子杆１１３に螺着されて操作用凹陥部１１５の蓋受縁１１９に圧着されるものであることから、その開閉には、小蓋１２１を回転させる専用の回転作業用工具を必要とする。かかる回転作業用工具５１として、図１３に示すように、回動板部５６に操作軸部５５が接合された略Ｔ字形の工具本体５２と、該操作軸部５５に形成された一対の挿通孔５９に挿通されるハンドル杆５３とから構成されるものが知られている（図３，４参照）。ここで、工具本体５２は、筒状の操作軸部５５の一端が、帯板状の回動板部５６の中央部位に接合されてなり、該回動板部５６の両端部に爪部５７，５７が夫々設けられている。この回動板部５６の爪部５７，５７を、小蓋１２１の外周部に設けられた一対の係合穴１３１，１３１に嵌め込んで係止し、操作軸部５５の挿通孔５９に挿通したハンドル杆５３を回転させることにより、回動板部５６を介して小蓋１２１を回動させ、該小蓋１２１を脱着させることができる。
【先行技術文献】
【特許文献】
【０００４】
【特許文献１】特開２００１−２７１３６９号公報
【発明の概要】
【発明が解決しようとする課題】
【０００５】
ところで、上記した密閉型のマンホール蓋１０５を開閉するために用いる回転作業用工具５１は、該密閉型のマンホール蓋１０５の専用工具であることから、他の作業で使用されることはほとんど無い。そして、通常は、回転作業用工具５１を、密閉型のマンホール蓋１０５を開閉作業する現場に持ち運び、該開閉作業に用いている。しかし、回転作業用工具５１を忘れた場合には、取りに戻ったり、他の者に持ってきてもらう等の対応作業が必要となる。また、この回転作業用工具５１は、スチールなどの金属製であることから、比較的サイズが大きく且つ重量もある。そのため、回転作業用工具５１を持ち運ぶために、比較的大きな労力を要する。また、もし仮に、運搬の忘れを防ぐために、回転作業用工具５１を常に持ち運ぶようにすると、非効率的である。こうしたことから、回転作業用工具５１は、現場に運搬するのではなく、密閉型のマンホール蓋１０５の設置現場に保管されることが求められていた。
【０００６】
本発明は、回転作業用工具を、使用する現場に保管し得る工具保管装置と、該工具保管装置に保管される回転作業用工具とを提案するものである。
【課題を解決するための手段】
【０００７】
本発明は、被操作物に係止される帯板状の回動板部と、径方向で対向する少なくとも一対の挿通孔を備え、該回動板部の一側面の略中央部位に接合された筒状の操作軸部とからなる略Ｔ字形の工具本体と、一端から前記挿通孔に挿通されるものであって、かつ他端部に該挿通孔に挿入不能な非挿通部を備えてなる長尺状のハンドル杆とを備えた回転作業用工具を、保管可能とする工具保管装置であって、壁面に取り付けられる背板部と、前記工具本体の操作軸部を挿通可能な間隙をおいて該背板部の下縁から二股状に設けられ、該工具本体の回動板部の両側部を夫々支持する左右一対の吊下片部とを備え、さらに、少なくとも一方の吊下片部に、前記ハンドル杆を一端から挿通可能とし且つ非挿通部を挿通不能とする杆保持孔が、上下方向に開口形成されてなるものであることを特徴とする工具保管装置である。
【０００８】
ここで、上述した密閉型のマンホールは、一般的に、屋内や、屋外であっても建造物に隣接する位置に設けられる。そのため、密閉型のマンホールに近接する壁の壁面に、本発明の工具保管装置を取り付けることによって、該マンホール蓋の開閉作業に用いる回転作業用工具を保管できる。
【０００９】
かかる本発明の構成にあっては、回転作業用工具のハンドル杆を、吊下片部の杆保持孔に上方から挿通させて、該ハンドル杆の非挿通部を該杆保持孔の孔縁部で支持することによって保管できると共に、工具本体の操作軸部を両吊下片部の間隙に挿し入れて、回動板部の両側部を両吊下片部で支持することによって、該工具本体を保管できる。したがって、本発明の工具保管装置を、上述したようにマンホールに近接する壁に設置して、マンホール蓋の開閉に要する回転作業用工具を保管することにより、該回転作業用工具を運搬する必要が無く、運搬に要する作業負担を削減できる。さらに、回転作業用工具の現場への持ち運びを忘れてしまうことも無いから、忘れた場合に必要となる上記の対応作業を行うことも無い。
【００１０】
また、回転作業用工具を使用する際には、工具本体を両吊下片部から取り外し、さらにハンドル杆を吊下片部の杆保持孔から取り外して、該ハンドル杆を操作軸部の挿通孔に挿通させることによって、使用可能な状態となる。このように本構成によれば、回転作業用工具を保管するために要する作業が容易であり、かつ該保管された状態から使用状態にするために要する作業も容易である。
【００１１】
上述した本発明の工具保管装置にあって、左右一対の吊下片部は、背板部の下端縁から前方に連成された底片部と、該底片部の前端縁から斜め上方に連成された傾斜片部とにより夫々構成され、少なくとも一方の底片部に杆保持孔が形成されてなり、前記傾斜片部の内側面と前記背板部の表面とにより、工具本体の回動板部の両側部位を夫々支持すると共に、該支持した回動板部と前記底片部との間に、該底片部の杆保持孔の孔縁部で支持されたハンドル杆の非挿通部を収容する収容空隙が形成される構成が提案される。
【００１２】
かかる構成にあっては、工具本体の回動板部を吊下片部の傾斜片部と背板部とで支持した状態で、該回動板部と底片部との間の収容空隙内に、杆保持孔の孔縁部に支持されたハンドル杆の非挿通部を収容することから、該回動板部の両側部を両吊下片部により平衡に支持できる。そのため、回動板部の支持安定性が向上し、工具本体の保管状態を一層安定させることができる。さらに、このように回動板部を平衡に支持した状態では、操作軸部を両吊下片部の間隙内で略垂直方向に沿って保持できることから、回転作業用工具を使用する際に、両吊下片部の間隙から該工具本体の操作軸部を取り外し易いという利点もある。
【００１３】
尚仮に、回動板部を底片部で支持するような、前記収容空隙が形成されない構成の場合には、杆保持孔の孔縁部に支持されたハンドル杆の非挿通部に、回動板部の一側部位が支持されてしまうことから、該回動板部が傾斜した状態で保管される。これに対して、本構成では、回動板部の一側部位がハンドル杆の非挿通部に支持されることが無く、前記のように、該回動板部の両側部を両吊下片部の傾斜片部と背板部とで平衡に支持できる。
【００１４】
一方、本発明は、上述した本発明の工具保管装置で保管される回転作業用工具であって、工具本体の回動板部は、操作軸部の接合部位よりも一側方に、ハンドル杆の非挿通部を挿通可能な貫通孔が形成されてなり、前記工具保管装置の吊下片部で支持される場合に、一方の吊下片部で支持されたハンドル杆の非挿通部を、前記貫通孔に挿通させることを特徴とする回転作業用工具である。
【００１５】
かかる構成にあって、上述した工具保管装置に保管される際に、一方の吊下片部の杆保持孔の孔縁部に支持されたハンドル杆の非挿通部が、回動板部の貫通孔に挿通されることにより、該非挿通部の上端に該回動板部の一側部位が支持されることが無く、該回動板部が両吊下片部に平衡に支持され得る。そのため、工具保管装置に安定して保管できる。さらに、上述したように、回動板部を平衡に支持できることにより、操作軸部を両吊下片部の間隙内で略垂直方向に沿って保持できるから、使用の際に、該操作軸部を該間隙から取り外し易い。
【発明の効果】
【００１６】
本発明の工具保管装置は、マンホールに近接する壁の壁面に設置することで、該マンホール蓋の開閉に要する回転作業用工具を保管できることから、該回転作業用工具を運搬する必要が無く、運搬に要する作業負担を削減できる。さらに、運搬する場合には、回転作業用工具の持ち運びを忘れてしまうこともあり得るが、本構成によれば、この運搬忘れも生じないことから、忘れた場合に必要となる対応作業も無くなる。
【００１７】
また、本発明の回転作業用工具は、上記の工具保管装置に保管される際に、吊下片部の杆保持孔に支持されたハンドル杆の非挿通部を、回動板部の貫通孔に挿通させることで、該回動板部を平衡に支持できる。これにより、工具保管装置に一層安定して保管できる。
【図面の簡単な説明】
【００１８】
【図１】実施例１の工具保管装置１の（Ａ）正面図と、（Ｂ）平面図である。
【図２】工具保管装置１の、（Ａ）側面図と、（Ｂ）図１中のＭ−Ｍ線断面図である。
【図３】回転作業用工具５１の、（Ａ）正面図と、（Ｂ）平面図である。
【図４】回転作業用工具５１の工具本体５２とハンドル杆５３との分解図である。
【図５】工具保管装置１に、ハンドル杆５３を支持する過程を示す説明図である。
【図６】工具保管装置１に、工具本体５２を支持する過程を示す説明図である。
【図７】工具保管装置１に回転作業用工具５１を支持した状態を示す、（Ａ）正面図と、（Ｂ）平面図である。
【図８】工具保管装置１に、他の工具を保管した状態を示す正面図である。
【図９】実施例２の工具保管装置３１の、（Ａ）側面図と、（Ｂ）回転作業用工具５１を支持した状態を示す正面図である。
【図１０】実施例３の回転作業用工具８１の平面図である。
【図１１】実施例２の工具保管装置３１に回転作業用工具８１を支持した状態を示す、（Ａ）正面図と、（Ｂ）縦断面図である。
【図１２】密閉型のマンホール蓋１０５の施工状態を示す縦断面図である。
【図１３】マンホール蓋１０５の小蓋１２１と、該小蓋１２１の脱着に用いる回転作業用工具５１とを示す説明図である。
【発明を実施するための形態】
【００１９】
本発明にかかる実施例１〜３を添付図面に従って説明する。
【実施例１】
【００２０】
図１，２に示すように、工具保管装置１は、図示しない密閉型のマンホール１０１（図１２参照）に近接する壁の壁面９１に取り付けられる。ここで、本実施例にあって、図１を正面視した状態で、上下方向と左右方向とを定めると共に、壁面９１の表方を前方とし、該壁面９１の裏方を後方として、説明する。
【００２１】
先ず、工具保管装置１で保管可能な回転作業用工具５１について説明する。回転作業用工具５１は、密閉型のマンホール蓋１０５を開閉するための専用工具であり、さらに言えば、上述したように該マンホール蓋１０５の中央部分に設けられた小蓋１２１の開閉作業に使用される（図１２，１３参照）。この回転作業用工具５１は、図３，４に示すように、略Ｔ字形の工具本体５２とハンドル杆５３とから構成される。工具本体５２は、円筒状の操作軸部５５と、帯板状の回動板部５６とから構成されてなり、回動板部５６の表側面の、左右方向の略中央部分に、該操作軸部５５の一端が溶接等により接合されて、該操作軸部５５と回動板部５６とが一体化されたものである。ここで、回動板部５６は、その板面方向が、操作軸部５５の中心軸線方向と直交する方向となるように、該操作軸部５５に接合されている。回動板部５６の裏面には、左右方向の両側端部に、裏方に突出する爪部５７，５７が設けられている。この爪部５７，５７は、マンホール蓋１０５の小蓋１２１を開閉する際に、該小蓋１２１に設けられた係合穴１３１，１３１に嵌め込まれて使用されるものであり（図１３参照）、該係合穴１３１，１３１の寸法サイズや離間距離等に合わせて設定される。一方、操作軸部５５は、その他端部がレンチ部５８となっていると共に、長手方向の中央部よりも該レンチ部５８寄りの部位に、径方向で対向する一対の第一挿通孔５９，５９が形成されている。さらに、この第一挿通孔５９，５９よりも回動板部５６寄りの部位にも、径方向で対向する一対の第二挿通孔６０，６０が形成されている。ここで、第一挿通孔５９，５９の対向方向（径方向）と第二挿通孔６０，６０の対向方向（径方向）とは、同じ方向（平行）であり、回動板部５６の長手方向と略直角状に交差する。
【００２２】
また、ハンドル杆５３は、細長い円柱形状をなし、上記した第一挿通孔５９および第二挿通孔６０の孔径よりも若干小さな外径寸法で形成されている。このハンドル杆５３は、その一方の端部から、第一挿通孔５９，５９または第二挿通孔６０，６０に挿通可能となっている。さらに、ハンドル杆５３の他端部には、第一挿通孔５９および第二挿通孔６０に挿通不能な非挿通部６１が設けられている。そのため、ハンドル杆５３は、一端から第一挿通孔５９，５９または第二挿通孔６０，６０に挿し入れていくと、非挿通部６１が第一挿通孔５９または第二挿通孔６０の各孔縁部に係止されるため、通り抜けることができない。
【００２３】
こうした回転作業用工具５１は、上記のマンホール蓋１０５の小蓋１２１を開閉する際には、図１３のように、工具本体５２の回動板部５６の爪部５７，５７を、該小蓋１２１の係合穴１３１，１３１に夫々嵌め合わせる。そして、操作軸部５５の第一挿通孔５９，５９に挿通したハンドル杆５３を介して工具本体５２を回転させることにより、小蓋１２１の開閉を行い得る。この第一挿通孔５９，５９が、本発明にかかる挿通孔に相当する。
【００２４】
一方、工具保管装置１は、図１，２に示すように、壁面９１に固定される略矩形板状の背板部２と、該背板部２の下端から二股状に設けられた左右一対の吊下片部３ａ，３ｂとから構成される。本実施例では、所定形状に形成された金属製の平板材を折り曲げ加工することによって成形されてなるものである。背板部２には、壁面９１に固定するための螺子（図示せず）を挿通するネジ孔１１が複数設けられており、各ネジ孔１１を介して螺子により壁面９１に取り付けられる。背板部２の下端には、左右の吊下片部３ａ，３ｂが左右方向に所定間隔をおいて前方へ連成されている。ここで、左右の吊下片部３ａ，３ｂ間の間隙５は、上記した工具本体５２の操作軸部５５を挿通可能とするように、該操作軸部５５の外径寸法よりも少し広い間隔に設定されている。
【００２５】
左右の吊下片部３ａ，３ｂは、背板部２の下端から前方へ夫々延成された底片部１３ａ，１３ｂと、各底片部１３ａ，１３ｂの前端から斜め上方へ夫々延成された傾斜片部１４ａ，１４ｂとから構成される。ここで、底片部１３ａ，１３ｂは、その前後方向の幅寸法が、上記した工具本体５２の回動板部５６の短手方向幅よりも狭くなっている。そして、傾斜片部１４ａ，１４ｂは、底片部１３ａ，１３ｂから所定高さ位置における背板部２との離間距離（前後方向の間隔）が前記回動板部５６の短手方向幅と等しくなるように、その傾斜角度が設定されている。この所定高さ位置は、底片部１３ａ，１３ｂからの高さ寸法が、上記したハンドル杆５３の非挿通部６１の長さ寸法と等しい寸法又は該非挿通部６１よりも若干長い寸法となるように設定される。これにより、左右の吊下片部３ａ，３ｂでは、前記所定高さ位置で、該吊下片部３ａ，３ｂの内側面と該内側面に対向する背板部２の表面とによって工具本体５２の回動板部５６を支持することができ、かつ、この支持した状態で、回動板部５６と底片部１３ａ，１３ｂとの間に、ハンドル杆５３の非挿通部６１を収容する収容空隙１７が形成される（図６参照）。
【００２６】
さらに、一方の吊下片部３ａの底片部１３ａには、上記したハンドル杆５３を挿通可能な杆保持孔１８が上下方向に貫通するように開口形成されている。この杆保持孔１８は、ハンドル杆５３の非挿通部６１を挿通不能とするように設けられている。そのため、ハンドル杆５３を、非挿通部６１を上にして、杆保持孔１８の上方から挿し入れると、該非挿通部６１が該杆保持孔１８の孔縁部で係止されて、該ハンドル杆５３が吊下片部３ａの底片部１３ａにより支持される（図５参照）。
【００２７】
こうした工具保管装置１に、上記の回転作業用工具５１を保管する態様について説明する。回転作業用工具５１を保管する際には、工具本体５２とハンドル杆５３とを分離する（図４参照）。そして、図５に示すように、ハンドル杆５３を、一方の吊下片部３ａの底片部１３ａに形成された杆保持孔１８に、上方から挿し入れて、該ハンドル杆５３の非挿通部６１を、該底片部１３ａの杆保持孔１８の孔縁部で係止させる。これにより、ハンドル杆５３を吊下片部３ａの底片部１３ａにより支持する。次に、図６に示すように、工具本体５２を、その回動板部５６を上にして、左右の吊下片部３ａ，３ｂによって支持する。すなわち、操作軸部５５を、両吊下片部３ａ，３ｂ間の間隙５に挿し入れて、回動板部５６を、両吊下片部３ａ，３ｂ上から嵌め入れることにより、該回動板部５６の、操作軸部５５との接合部位の両側方部位を、両吊下片部３ａ，３ｂの内側面と背板部２の表面とにより支持する。これにより、工具本体５２が、両吊下片部３ａ，３ｂにより支持される。ここで、両吊下片部３ａ，３ｂに回動板部５６が支持された状態では、吊下片部３ａの底片部１３ａとの間に収容空隙１７が形成され、該収容空隙１７内に、前記したハンドル杆５３の非挿通部６１が収容される。これにより、図７に示すように、回動板部５６は、ハンドル杆５３の非挿通部６１に支持されず、左右の吊下片部３ａ，３ｂにより略平衡に支持される。そのため、工具本体５２は、工具保管装置１に保管された状態で、回動板部５６が略水平方向に保たれ、且つ操作軸部５５が略垂直方向に沿って保たれる。
【００２８】
さらに、工具保管装置１に保管される回転作業用工具５１を使用する際には、両吊下片部３ａ，３ｂに支持されている工具本体５２を、少し上方に持ち上げるようにして取り外し、次に、吊下片部３ａの杆保持孔１８からハンドル杆５３を引き上げて取り外す。そして、ハンドル杆５３を、工具本体５２の第一挿通孔５９，５９に挿し入れることで、上記のようにマンホール蓋１０５の開閉作業に使用できる。ここで、保管状態の工具本体５２は、操作軸部５５が両吊下片部３ａ，３ｂ間の間隙５内で略垂直方向に沿って保たれ且つ吊下片部３ａ，３ｂに直接支持されていないことから、該吊下片部３ａ，３ｂから取り外し易い。
【００２９】
このように本実施例１の工具保管装置１によれば、密閉型のマンホール１０１の近傍の壁面９１に設置することにより、該マンホール蓋１０５の開閉専用の回転作業用工具５１を保管することができる。そのため、現場に回転作業用工具５１を運搬する手間を省くことができると共に、該回転作業用工具５１の現場への持ち運びを忘れてしまうことも無い。ここで、回転作業用工具５１は、スチール等の金属製であり、比較的サイズが大きく且つ重量もあることから、この運搬を省略できることは、作業用工具類の運搬作業に要する負担の軽減に大きく寄与する。さらに、回転作業用工具５１を現場に持って行くことを忘れてしまうと、取りに戻ったり、他の人に持って来てもう等の対応作業を必要とし、該対応作業に手間と時間が掛かってしまうが、こうした対応作業を必要としなくなることから、作業性の改善効果が高い。
【００３０】
また、本実施例１の工具保管装置１は、回転作業用工具５１の工具本体５２を、その回動板部５６を略平衡とした状態で保管できることから、保管中の安定性に優れる。そして、保管状態で、工具本体５２の操作軸部５５が両吊下片部３ａ，３ｂ間の間隙５内で略垂直方向に沿って保たれていることから、工具本体５２を取り外す際には、該操作軸部５５を該間隙５から取り出し易いという利点も有する。
【００３１】
本実施例１の工具保管装置１は、上述したように回転作業用工具５１を保管できるものであるが、該回転作業用工具５１の他の工具を保管することにも転用可能である。例えば。マンホール蓋には、その用途に応じて複数種類のタイプがあり、各タイプに応じて開閉作業に適した工具が使用される。こうした異なるタイプの工具についても、保管できる。具体的には、図８（Ａ）に示すように、略十字形のバール９７を保管することもできる。ここで、バール９７は、長尺状の主杆部９７ａと、該主杆部９７ａから左右側方に夫々突成された持ち手部９７ｂ，９７ｂとを備える。そして、主杆部９７ａを、両吊下片部３ａ，３ｂ間の間隙５に挿し入れて、持ち手部９７ｂ，９７ｂを吊下片部３ａ，３ｂで支持することにより、バール９７を保管できる。また、図８（Ｂ）に示すように、楕円形の持ち手部９８ｂを備えたハンドル９８を保管することもできる。このハンドル９８にあっても、主杆部９８ａを、両吊下片部３ａ，３ｂ間の間隙５に挿し入れて、該主杆部９８ａの一端部に設けられた持ち手部９８ｂを両吊下片部３ａ，３ｂに支持することにより、保管できる。さらにまた、図８（Ｃ）に示すように、特殊ハンドル９９，９９を前後に並べて保管することもできる。このように本実施例１の工具保管装置１は、回転作業用工具５１以外の様々な工具の保管にも適用でき、汎用性に優れている。
【実施例２】
【００３２】
本実施例２の工具保管装置３１にあっては、図９（Ａ）に示すように、吊下片部３３ａ，３３ｂを構成する底片部４３ａ，４３ｂの前後方向幅を、工具本体５２の回動板部５６の短手方向幅よりも若干短くしたものである。そして、傾斜片部４４ａ，４４ｂは、その下端部で、背板部２との離間距離が前記回動板部５６の短手方向幅と等しくなるように形成されている。そのため、仮に、工具本体５２のみを保管した場合には、回動板部５６の両側部が、底片部４３ａ，４３ｂと僅かな隙間をおいて、両吊下片部３３ａ，３３ｂの傾斜片部４４ａ，４４ｂの内側面と背板部２の表面とにより支持される。そして、この支持状態では、上述した実施例１のように収容空隙が形成されない。
【００３３】
尚、本実施例２の構成にあっては、両吊下片部３３ａ，３３ｂの底片部４３ａ，４３ｂの前後方向幅が異なる以外は、上述した実施例１と同じ構成であることから、同じ構成要素には同じ符号を記し、その説明を省略した。
【００３４】
実施例２の工具保管装置３１に回転作業用工具５１を保管する際には、上述した実施例１と同様に、ハンドル杆５３を、一方の吊下片部３３ａの底片部４３ａに形成された杆保持孔１８に、上方から挿し入れる。そして、ハンドル杆５３の非挿通部６１を、底片部４３ａの杆保持孔１８の孔縁部に係止させて、該ハンドル杆５３を吊下片部３３ａの該底片部４３ａにより支持する。次に、工具本体５２は、その操作軸部５５を両吊下片部３３ａ，３３ｂの間隙５に挿し入れて、回動板部５６の両側部位を、両吊下片部３３ａ，３３ｂ上から嵌め入れる。ここで、図９（Ｂ）に示すように、ハンドル杆５３を支持する吊下片部３３ａ側では、回動板部５６の一方の側部が、該ハンドル杆５３の非挿通部６１の上端に支持されると共に、他方の吊下片部３３ｂ側では、回動板部５６の他方の側部が、当該吊下片部３３ｂで支持される。これにより、工具本体５２は、その回動板部５６が傾斜した状態で、両吊下片部３３ａ，３３ｂに支持される。尚、工具保管装置３１に保管される回転作業用工具５１を使用する際には、上述した実施例１と同様に、工具本体５２を取り外し、ハンドル杆５３を引き上げる。そして、ハンドル杆５３を工具本体５２の第一挿通孔５９，５９に挿し入れることで、使用できる。
【００３５】
このように本実施例２の工具保管装置３１によれば、密閉型のマンホール蓋１０５を開閉するための回転作業用工具５１を保管できることから、現場への運搬を必要とせず、上述した実施例１と同様の作用効果を生じ得る。尚、本実施例２の場合には、工具本体５２の保管状態で、回動板部５６が傾斜して保管されることから、上述した実施例１に比して安定性が劣るものの、比較的長期亘って該保管状態を十分に保ち得る。
【００３６】
さらに、本実施例２の工具保管装置３１にあっても、上述した実施例１と同様に、他の工具９７〜９９についても保管することが可能である（図８参照）。
【実施例３】
【００３７】
実施例３は、上述した実施例２の工具保管装置３１に保管される回転作業用工具８１である。本実施例３の回転作業用工具８１は、図１０に示すように、工具本体８２の回動板部８６の、一方の側部に、ハンドル杆５３の非挿通部６１を挿通可能な貫通孔８８が開口形成されたものである。ここで、貫通孔８８は、図１１に示すように、工具本体８２を工具保管装置３１の吊下片部３３ａ，３３ｂに支持した状態で、一方の吊下片部３３ａの底片部４３ａに形成された杆保持孔１８と重なるように、回動板部８６の一方の側部に形成されている。
【００３８】
尚、本実施例３の回転作業用工具８１は、上述した実施例１，２で示した構成に貫通孔８８を形成してなるものであり、該貫通孔８８以外の構成は該実施例１，２と同じであることから、同じ構成要素には同じ符号を記し、その説明を適宜省略した。
【００３９】
本実施例３の回転作業用工具８１を、上述した実施例２の工具保管装置３１に保管する際には、実施例２と同様に、該回転作業用工具８１のハンドル杆５３を、一方の吊下片部３３ａの底片部４３ａに形成された杆保持孔１８に、上方から挿し入れて、非挿通部６１を該底片部４３ａの杆保持孔１８の孔縁部で支持する。次に、工具本体５２は、一方の吊下片部３３ａに支持されたハンドル杆５３の非挿通部６１上に回動板部８６の貫通孔８８が位置するようにして、操作軸部５５を両吊下片部３３ａ，３３ｂの間隙５に挿し入れて、回動板部８６の両側部位を、両吊下片部３３ａ，３３ｂ上から嵌め入れる。この際に、一方の吊下片部３３ａに支持されたハンドル杆５３の非挿通部６１に、回動板部８６の貫通孔８８を外嵌させる。これにより、回動板部８６の、貫通孔８８が形成された側部が、吊下片部３３ａの傾斜片部４４ａの内側面と背板部２の表面で支持されると共に、当該回動板部８６の他方の側部も、吊下片部３３ｂの傾斜片部４４ｂの内側面と背板部２の表面で支持される。そして、回動板部８６は、左右の吊下片部３３ａ，３３ｂにより略平衡に支持される。
【００４０】
このように本実施例３の回転作業用工具８１によれば、上述した実施例２の工具保管装置３１に保管される場合にあっても、工具本体８２を、その回動板部８６を略平衡にして保管することができることから、保管の安定性に優れる。また、保管状態で、工具本体８２の操作軸部５５が両吊下片部３３ａ，３３ｂ間の間隙５内で略垂直方向に沿って保たれていることから、該間隙５から工具本体８２を取り外し易い。
【００４１】
本発明にあっては、上述した実施例に限定されるものではなく、これら実施例以外の構成についても本発明の趣旨の範囲内で適宜変更して実施可能である。
【符号の説明】
【００４２】
１，３１  工具保管装置
２  背板部
３ａ，３ｂ，３３ａ，３３ｂ  吊下片部
５  間隙
１３ａ，１３ｂ，４３ａ，４３ｂ  底片部
１４ａ，１４ｂ，４４ａ，４４ｂ  傾斜片部
１７  収容空隙
１８  杆保持孔
５１，８１  回転作業用工具
５２，８２  工具本体
５３  ハンドル杆
５５  操作軸部
５６，８６  回動板部
５９，５９  第一挿通孔（挿通孔）
６１  非挿通部
８８  貫通孔
【図１】
0006652422.tif 000002
【図２】
0006652422.tif 000003
【図３】
0006652422.tif 000004
【図４】
0006652422.tif 000005
【図５】
0006652422.tif 000006
【図６】
0006652422.tif 000007
【図７】
0006652422.tif 000008
【図８】
0006652422.tif 000009
【図９】
0006652422.tif 000010
【図１０】
0006652422.tif 000011
【図１１】
0006652422.tif 000012
【図１２】
0006652422.tif 000013
【図１３】
0006652422.tif 000014